(57)【要約】      （修正有）【課題】真空保持性（密封性）と耐腐食性を具備し、その真空保持性（密封性）と耐腐食性を長期間に維持して複数回にわたって使用し得るシール材を提供する。【解決手段】腐食性流体収納室Ｚ側の第１側壁面１に接近又は接触するように配設される耐腐食用リング６と、第２側壁面２と底壁面３に接近又は接触するように配設される弾性シール本体７と、から成り、耐腐食用リング６は、開口部４に相対的に接近・離間する相手部材２０に向かって頂部３０が突出状に折れ曲ると共に第１辺部３１と第２辺部３２を有する横断面Ｖ字状であって、弾性シール本体７は、装着未圧縮状態の横断面に於て、相手部材２０に向かって突出状の山形突部１１と、第２側壁面２側に膨出する側方突部９と、底壁面３に対応した平坦底面部３３と、第２辺部３２が差込まれる差込溝部３４と、を有するように構成している。【選択図】図２
2014214778.tif 000002
【特許請求の範囲】
【請求項１】
開口部（４）と、第１側壁面（１）と、第２側壁面（２）と、底壁面（３）とを、有する環状の装着溝（５）内に装着される環状のシール材であって、
腐食性流体収納室（Ｚ）側の上記第１側壁面（１）に接近又は接触するように配設される耐腐食用リング（６）と、上記第２側壁面（２）と上記底壁面（３）に接近又は接触するように配設される弾性シール本体（７）と、から成り、
上記耐腐食用リング（６）は、上記開口部（４）に相対的に接近・離間する相手部材（２０）に向かって頂部（３０）が突出状に折れ曲ると共に第１辺部（３１）と第２辺部（３２）を有する横断面Ｖ字状であって、
上記弾性シール本体（７）は、装着未圧縮状態の横断面に於て、上記相手部材（２０）に向かって突出状の山形突部（１１）と、上記第２側壁面（２）側に膨出する側方突部（９）と、上記底壁面（３）に対応した平坦底面部（３３）と、上記第２辺部（３２）が差込まれる差込溝部（３４）と、を有し、
圧縮使用状態に於て、上記山形突部（１１）及び上記頂部（３０）が上記相手部材（２０）に密接し、かつ、上記第１辺部（３１）は上記第１側壁面（１）に密接するように構成したことを特徴とするシール材。
【請求項２】
上記耐腐食用リング（６）は、上記第２辺部（３２）に脱落防止用返し部（８）を突設している請求項１記載のシール材。
【請求項３】
装着未圧縮状態で、上記平坦底面部（３３）から上記耐腐食用リング（６）の上記頂部（３０）までの上下長さ寸法（ｈ）は、上記弾性シール本体（７）の高さ寸法（Ｈ）の０．７倍〜１．０倍に設定されている請求項１又は２記載のシール材。
【請求項４】
装着未圧縮状態に於て、上記側方突部（９）の外端から上記第１辺部（３１）の外端に至る左右長さ寸法（Ｌ）は、上記開口部（４）の開口幅寸法（Ｗ０）の１．１倍〜１．５倍に設定されている請求項１，２又は３記載のシール材。
【請求項５】
装着未圧縮状態に於て、上記底壁面（３）と上記平坦底面部（３３）が左右方向に当接する接触幅寸法（Ｗ１）は、上記底壁面（３）の溝底幅寸法（Ｗ２）の０．３倍〜０．７倍に設定されている請求項１，２，３又は４記載のシール材。
【請求項６】
装着未圧縮状態で、上記耐腐食用リング（６）の肉厚寸法（Ｔ）は、０．２ｍｍ〜２．０ｍｍに設定されている請求項１，２，３，４又は５記載のシール材。
【請求項７】
装着未圧縮状態に於て、上記耐腐食用リング（６）と上記底壁面（３）との間に、隙間（Ｇ）が形成されている請求項１，２，３，４，５又は６記載のシール材。
【発明の詳細な説明】
【技術分野】
【０００１】
本発明は、シール材に係り、特に、医療、食品分野での薬液輸送用配管内のバルブや、半導体製造装置のゲートバルブ，チャンバーリッド等に使用される耐プラズマ性、耐腐食性を兼ね備えたシール材に関する。
【背景技術】
【０００２】
上述のような用途のシール材としては、図９（Ａ）に示すように、腐食性流体収納室Ｚ側にＰＴＦＥの耐腐食用リング３７をシール溝３８に嵌着し、かつ、外側に弾性ゴムシール（Ｏリング）３９を蟻溝状シール溝３６に嵌着する二重溝の二重シールが公知であった。
【０００３】
この図９（Ａ）の二重シールでは、図１０（Ａ）の矢印のように、相手部材１５の平坦面１５Ａが接近すると、弾性ゴムシール３９と耐腐食用リング３７は圧縮変形し、主として弾性ゴムシール３９によって密封作用を行い、かつ、ＰＴＦＥの耐腐食用リング３７は腐食性流体収納室Ｚからの腐食性流体２１が弾性ゴムシール３９に接触するのを防止する役割をなしている。次に、図１０（Ｂ）に示すように、相手部材１５が矢印方向に分離すると、（ゴム製の）弾性ゴムシール３９は元の形状に復元するが、ＰＴＦＥは歪みが復元せず、図９と図１０（Ｂ）とを比較すれば明らかな如く、変形が残留する。
従って、図９（Ａ），図１０（Ａ）（Ｂ）に示した二重シールでは、次のような問題があった。（ｉ）ＰＴＦＥ製リング３７の残留歪みにより、複数回の使用が困難であり、コスト高となる。（ii）シール溝３６，３８を２個形成せねばならず、必然的に装置全体が大型化する。(iii）ＰＴＦＥ製リング３７の嵌着方向が装置によって異なり、そのシール溝３８の方向によっては開放時に脱落の虞れがある。
【０００４】
そこで、従来、図９（Ｂ）に示すように１個のシール溝３６に、横断面が半長円形の弾性ゴムシール３９Ａと、横断面Ｉ字形のＰＴＦＥリング３７Ａとを装着する複合シールが提案されている。しかしながら、このような複合シールには、次のような問題があった。（ｉ）ＰＴＦＥの残留歪みが発生し、複数回の使用が困難であり、コスト高となる。（ii）リング３７Ａと弾性ゴムシール３９Ａとを接着一体化する場合があったが、このような場合、使用温度や圧縮度合いによっては、相互の接着界面で剥がれを生ずる虞れがある。(iii）高温環境下では、接着剤の劣化による流体の洩れや、ガスの発生の問題も生ずる。
また、図１１に示すように、ゴム（弾性ゴムシール）４０を大気側２２に配設して、耐腐食用材料（Ｃ形リング）４１を腐食性流体２１側に配設するシール材も提案されている（特許文献１参照）。
【先行技術文献】
【特許文献】
【０００５】
【特許文献１】特開平１１−２３２８号公報
【発明の概要】
【発明が解決しようとする課題】
【０００６】
しかし、図１１に示す従来の複合シール材は、断面が円形であるため、相手部材２０から圧縮荷重を受けた圧縮使用状態に於て、弾性が小さい耐腐食性材料４１は、装着溝及び相手部材２０に密着する範囲が少なく、シール性を十分に発揮できない。従って、シール面から腐食性流体２１の漏洩が生じ、ゴム４０を腐食性流体２１から確実に保護することができず、ゴム４０の劣化を長期間抑止することができなかった。つまり、シール面に弾性の異なる２種類の材料（フッ素樹脂とゴム）が混在すると、（ｉ）接面漏れを起こす。
また、繰り返し圧縮・開放を行う場合は、（ii）耐腐食性材料４１の残留歪みにより、ゴム４０のシール性が格段に低下する。即ち、複数回の使用が困難となり、部品交換やメンテナンス作業が必要となって、コスト高となる虞れがある。(iii）ゴム４０と耐腐食性材料４１を接着した場合、使用温度や圧縮の度合いによって、ゴム４０と耐腐食性材料４１の界面で剥がれが発生する虞れがある。さらに、（iv）高温環境下では接着剤の劣化による流体への流出、ガスの発生等も考えられるという問題があった。
【０００７】
そこで、本発明は、真空保持性（密封性）と耐腐食性を具備し、その真空保持性（密封性）と耐腐食性を長期間に維持して複数回にわたって使用し得るシール材を提供することを目的とする。
【課題を解決するための手段】
【０００８】
本発明に係るシール材は、開口部と、第１側壁面と、第２側壁面と、底壁面とを、有する環状の装着溝内に装着される環状のシール材であって、腐食性流体収納室側の上記第１側壁面に接近又は接触するように配設される耐腐食用リングと、上記第２側壁面と上記底壁面に接近又は接触するように配設される弾性シール本体と、から成り、上記耐腐食用リングは、上記開口部に相対的に接近・離間する相手部材に向かって頂部が突出状に折れ曲ると共に第１辺部と第２辺部を有する横断面Ｖ字状であって、上記弾性シール本体は、装着未圧縮状態の横断面に於て、上記相手部材に向かって突出状の山形突部と、上記第２側壁面側に膨出する側方突部と、上記底壁面に対応した平坦底面部と、上記第２辺部が差込まれる差込溝部と、を有し、圧縮使用状態に於て、上記山形突部及び上記頂部が上記相手部材に密接し、かつ、上記第１辺部は上記第１側壁面に密接するように構成したものである。
【０００９】
また、上記耐腐食用リングは、上記第２辺部に脱落防止用返し部を突設しているものである。
また、装着未圧縮状態で、上記平坦底面部から上記耐腐食用リングの上記頂部までの上下長さ寸法は、上記弾性シール本体の高さ寸法の０．７倍〜１．０倍に設定されているものである。
また、装着未圧縮状態に於て、上記側方突部の外端から上記第１辺部の外端に至る左右長さ寸法は、上記開口部の開口幅寸法の１．１倍〜１．５倍に設定されているものである。
【００１０】
また、装着未圧縮状態に於て、上記底壁面と上記平坦底面部が左右方向に当接する接触幅寸法は、上記底壁面の溝底幅寸法の０．３倍〜０．７倍に設定されているものである。
また、装着未圧縮状態で、上記耐腐食用リングの肉厚寸法は、０．２ｍｍ〜２．０ｍｍに設定されているものである。
また、装着未圧縮状態に於て、上記耐腐食用リングと上記底壁面との間に、隙間が形成されているものである。
【発明の効果】
【００１１】
本発明のシール材によれば、耐腐食用リングは、腐食性流体が弾性シール本体側へ流れるのを抑止でき、弾性シール本体は、密封作用をなして、例えば大気が真空側（腐食性流体収納室側）に入り込むのを阻止できる。従って、弾性シール本体は腐食性流体によって劣化しないので、密封性能を長期的に維持できる。その劣化による弾性シール本体から発塵が起こらないので、半導体製造装置等に於ては、製品に不純物が付着するのを防止できる。相手部材からの圧縮荷重が耐腐食用リングにのみにかからない（弾性シール体が弾発的にサポートする）ため、圧縮荷重を開放した際、耐腐食用リングは元の状態に復元し、変形が残留せず、圧縮・開放動作部に対して多数回にわたって使用できる。装着溝が１つで済み、装置の小型化を図り得る。圧縮荷重開放時の脱落を防止でき、また、接着剤を使用していないため、接着剤の混入やガスの発生等の問題を解決できる。このように、本発明は、医療、食品分野での薬液輸送用配管内のバルブや、半導体製造装置のゲートバルブ，チャンバーリッド等に好適なシール材であって、耐プラズマ性及び耐腐食性を発揮する。
【図面の簡単な説明】
【００１２】
【図１】本発明の実施の一形態を示す自由状態の拡大断面図である。
【図２】装着未圧縮状態を示す断面図である。
【図３】圧縮使用状態を示す断面図である。
【図４】本発明の他の実施形態を示す装着未圧縮状態の拡大断面図である。
【図５】本発明の別の実施形態を示す装着未圧縮状態の拡大断面図である。
【図６】他の装着溝に適用した例を示す装着未圧縮の拡大断面図である。
【図７】別の装着溝に適用した例を示す装着未圧縮の拡大断面図である。
【図８】本発明のシール材を適用した装置の一例を示した概略説明図である。
【図９】従来例を示す要部断面図である。
【図１０】従来の二重シールを示す要部断面図である。
【図１１】従来の他の例を示す要部断面図である。
【発明を実施するための形態】
【００１３】
以下、実施の形態を示す図面に基づき本発明を詳説する。
本発明のシール材は、攻撃性の強い流体を使用する部位に用いられ、例えば、医療、食品分野での薬液輸送用配管内のバルブシール、半導体の製造装置でのゲートバルブシール，チャンバーリッドシール等として用いられるものである。
図１〜図３に示すように、シール取付部材２３には平面環状の装着溝５が形成され、この装着溝５は、開口部４と、その開口部４に近づくにつれて相互に接近する第１側壁面１と第２側壁面２と、底壁面３とを、有している。つまり、図１〜図３の装着溝５は、横断面台形の蟻溝状に形成されている。なお、本発明に於て、「環状」とは、円形状、矩形状、長円形状、及び、その他の形状も含まれる。
【００１４】
図２と図３に示すように、本発明のシール材は、装着溝５内に装着される（全体が環状の）シール材であって、相手部材２０は、シール取付部材２３の平坦面２３Ａに相対的に接近・離間する平坦面状に構成されている。
【００１５】
図１は、本発明のシール材の自由状態を示し、図２は、シール材が装着溝５内に装着され相手部材２０から圧縮荷重を受けていない装着未圧縮状態を示し、図３は、シール材が相手部材２０から圧縮荷重を受けている圧縮使用状態を示している。
図２と図３に示すＺは、反応性ガス（具体的には、四フッ化炭素、三フッ化炭素、六フッ化硫黄）やプラズマ状態にあるガス等が含まれる腐食性流体（攻撃性の強い流体）２１を収納する腐食性流体収納室であり、２２は大気側である。図例では、装着溝５は、第１側壁面１が腐食性流体収納室Ｚ側に配設され、第２側壁面２が大気側２２に配設されている。
本発明のシール材は、腐食性流体収納室Ｚ側の第１側壁面１に接近又は接触するように配設される耐腐食用リング６と、第２側壁面２と底壁面３に接近又は接触するように弾性シール本体７と、から成る。言い換えると、攻撃性のある流体に耐性のある耐腐食用リング６を腐食性流体収納室Ｚ側（内周側）に配設し、弾性シール本体７によって耐腐食用リング６を挾み込んで（挾圧状に）保持する複合シール材である。なお、耐腐食用リング６の嵌め込みに際し、接着剤は使用しない。
【００１６】
ところで、図１〜図３（及び後述の図４〜図７）に於ては、装着溝５が下方へ開口している場合を例示しているが、本発明に係るシール材は、（天地逆として）上方へ開口する場合、あるいは、水平方向に開口したり、鉛直に対して傾斜する斜め上方や斜め下方に開口する場合もある。そして、図１，図２，図４，図５に於て、シール材と装着溝５の内面との微小隙間が、第１側壁面１と耐腐食用リング６の間、及び、弾性シール本体７と第２側壁面２の間に存在するように描かれている。しかしながら、シール材の自重、シール材と装着溝５との間の粘着力の発生の有無、及び、（上述した）装着溝５の開口方向に伴って、上記微小隙間が、平坦底面部３３と底壁面３との間に形成される場合もあり（図示省略）、また、第１側壁面１と第２側壁面２の内の一方側にのみ微小隙間が形成される場合もある（図示省略）。
【００１７】
耐腐食用リング６は、圧縮使用状態下で弾性シール本体７からの加圧によって変形可能な、柔らかい材質で、かつ、薄肉であるのが好ましい。例えば、フッ素樹脂（ＰＴＦＥ）、ＰＦＡ、ＰＰ、ＰＥ、薄い金属、又は、ＰＴＦＥを被覆した薄い金属等であるが、好ましくは、耐腐食性の点でＰＴＦＥとするのが最適である。
弾性シール本体７は、公知のゴム材料であれば良く、具体的には、フッ素ゴム、シリコーンゴム、パーフロロエラストマー、ＥＰＤＭ、クロロプレン、ウレタンゴム等が使用環境に応じて適用でき、中でも、耐プラズマ性・耐腐食性が優れている点で、シリコーンゴム製、フッ素ゴム製が好ましい。
【００１８】
図１と図２に示すように、耐腐食用リング６は、横断面Ｖ字状に形成され、（開口部４に相対的に接近する）相手部材２０に向かって頂部３０が突出するようにＶ字に折れ曲る。つまり、頂部３０にて折れ曲った第１辺部３１と第２辺部３２を有している。
耐腐食用リング６は、第２辺部３２の先端に脱落防止用返し部８を突設し、容易に弾性シール本体７から脱落しないように構成されている。つまり、この返し部８は、三角鈎形である。
また、耐腐食用リング６の肉厚寸法Ｔは、０．２ｍｍ〜２．０ｍｍに設定されている。
耐腐食用リング６の肉厚寸法Ｔが０．２ｍｍ未溝であると、圧縮の際、弾性シール本体７の圧縮弾性変形に伴う加圧により過大に変形し、残留歪み（変形）を生じる。また、耐腐食用リング６の肉厚寸法Ｔが２．０ｍｍを越えると、剛性が高くなり過ぎて、弾性変形がし難くなって、腐食性流体２１を遮断できない虞れがある。
【００１９】
弾性シール本体７は、図２に示す装着未圧縮状態の横断面に於て、相手部材２０に向かって突出状の山形突部１１と、第２側壁面２側に膨出する側方突部９と、底壁面３に対応した平坦底面部３３と、第２辺部３２が差込まれる差込溝部３４と、を有している。
また、装着未圧縮状態で、平坦底面部３３から耐腐食用リング６の頂部３０までの上下長さ寸法ｈは、弾性シール本体７の高さ寸法Ｈの０．７倍〜１．０倍に設定されている。
上下長さ寸法ｈが高さ寸法Ｈの０．７倍未満であると、圧縮使用状態下で、耐腐食用リング６の頂部３０が相手部材２０に十分に密着せず、腐食性流体２１を遮断できない虞れがある。また、上下長さ寸法ｈが高さ寸法Ｈより大きいと、圧縮使用状態下で、山形突部１１が相手部材２０に十分に密着せず、シール性が低下する。
【００２０】
図２に示す装着未圧縮状態に於て、側方突部９の外端から第１辺部３１の外端に至る左右長さ寸法Ｌは、開口部４の開口幅寸法Ｗ０の１．１倍〜１．５倍に設定されている。
左右長さ寸法Ｌが開口幅寸法Ｗ０の１．１倍未満であると、シール材の脱落の虞れがある。また、左右長さ寸法Ｌが開口幅寸法Ｗ０の１．５倍を越えると、装着溝５内に押し込んで装着する作業が困難となる。
【００２１】
また、装着未圧縮状態に於て、底壁面３と平坦底面部３３が左右方向に当接する接触幅寸法Ｗ１は、底壁面３の溝底幅寸法Ｗ２の０．３倍〜０．７倍に設定されている。
接触幅寸法Ｗ１が溝底幅寸法Ｗ２の０．３倍未満であると、圧縮荷重開放時に、相手部材２０への吸着（固着）により抜ける虞れがある。また、接触幅寸法Ｗ１が溝底幅寸法Ｗ２の０．７倍を越えると、圧縮使用状態に於て、弾性シール本体７の圧縮弾性変形が十分行ない得ない（体積移動を確保できない）虞れがある。
【００２２】
装着未圧縮状態に於て、耐腐食用リング６と底壁面３との間に、隙間Ｇが形成されている。
隙間Ｇは、耐腐食用リング６の可動域を確保している。この隙間Ｇにより、圧縮使用状態下で相手部材２０から圧縮荷重が付加された際、弾性シール本体７が圧縮弾性変形しつつ耐腐食用リング６を支持し、耐腐食用リング６に直接に圧縮荷重が作用しないように構成されている。
【００２３】
ここで、弾性シール本体７について、さらに詳しく説明する。
弾性シール本体７は、物理的劣化（イオン化した原子が弾性シール本体７を削り取るように傷つけること）の起こり易い箇所に装着される場合は、シリコーンゴム製であるのが好ましい。一方、弾性シール本体７は、化学的劣化（反応性ガスが弾性シール本体７に接触し、腐食劣化させること）の起こり易い箇所に装着される場合は、弾性シール本体７はフッ素ゴムであるのが好ましい。
【００２４】
さらに、弾性シール本体７は、特に酸素プラズマ処理（酸素ラジカル状態）の環境下で用いられる場合、以下に記す耐酸素プラズマ性に優れた（ア）又は（イ）の素材から成型されることが好ましい。
（ア）は、フッ化ビニリデン−六フッ化プロピレン共重合体、又は／及び、フッ化ビニリデン−六フッ化プロピレン−四フッ化エチレン共重合体１００重量部に対して、硫酸バリウム２０〜１００重量部を配合して成る組成物をポリオール加硫した素材である。
（イ）は、フッ化ビニリデン−六フッ化プロピレン共重合体、又は／及び、フッ化ビニリデン−六フッ化プロピレン−四フッ化エチレン共重合体１００重量部に対して、さらに四フッ化エチレン樹脂０．５〜３０重量部を配合して成る素材である。
【００２５】
また、本発明のシール材が酸素ラジカルが発生する箇所、言い換えれば、プラズマが少なく酸素ラジカルが存在する箇所に配設される場合は、耐腐食用リング６の材質として、（耐プラズマ性と耐酸素ラジカル性を有する）上記フッ素樹脂を適用するのが好ましい。
【００２６】
図８に示すように、本発明のシール材が使用されるプラズマエッチング装置等は、腐食性流体収納室Ｚを有し、腐食性流体収納室（反応管）Ｚ内に配設されたプラズマを除去するための内管（エッチトンネル）４４内では、Ｎ２Ｏと希ガス、Ｎ２とＯ２と希ガス、又は、Ｏ２と希ガスをプラズマ励起し、酸素励起活性種として酸素ラジカルが発生する。
つまり、プラズマと酸素ラジカルが混在するガスを、腐食性流体収納室Ｚで発生させ、腐食性流体収納室Ｚの内管（エッチトンネル）４４でプラズマを除去し、酸素ラジカルのみにて半導体ウエハーの表面処理（エッチング等）を行う。表面処理後、内管４４内の酸素ラジカルは、開閉扉４６ａを開放し配管４５ｃから排出され、一方、表面処理された半導体ウエハーは、別の開閉扉４６ｂを開けて取り出される。
【００２７】
例えば図８に示すように、本発明のシール材は、腐食性流体収納室Ｚと配管４５ａとの連結部Ｎや、腐食性流体収納室Ｚに通ずる配管４５ａ，４５ｂ同士の連結部Ｍ等に配設されたり、あるいは、排出配管４５ｃと腐食性流体収納室Ｚとの連結部（開閉扉４６ａの密閉部）Ｐや、半導体ウエハーを取り出すための開閉扉４６ｂの密閉部Ｑ等に配設される。
【００２８】
上述した本発明のシール材の使用方法（作用）について説明する。
図１に示すように、弾性シール本体７の差込溝部３４に、耐腐食用リング６の第２辺部３２を挿嵌して挾持させる。なお、耐腐食用リング６と弾性シール本体７は、嵌め合わせる前後では、それぞれの形状の変化はほとんど生じない。
次に、図２に示すように、弾性シール本体７を圧縮しながら装着溝５内に押し込んで、耐腐食用リング６が腐食性流体収納室Ｚ側の第１側壁面１に接近又は接触し、かつ、弾性シール本体７が第２側壁面２と底壁面３に接近又は接触するように装着する（装着未圧縮状態）。
【００２９】
次に、シール取付部材２３と相手部材２０が相対的に接近すると、弾性シール本体７の山形突部１１及び耐腐食用リング６の頂部３０に相手部材２０から圧縮荷重が加わると山形突部１１と頂部３０を相手部材２０に（弾発的に）密接させて、図３に示す圧縮使用状態とする。
この際、弾性シール本体７の山形突部１１が大きく弾性的に圧縮変形して、相手部材２０に対して弾発的に密着させてシールする。また、弾性シール本体７は、相手部材２０からの圧縮荷重により圧縮され潰され、側方突部９が第２側壁面２側へさらに膨出して第２側壁面２に密着し、かつ、平坦底面部３３が底壁面３に高い面圧をもって密着して、弾性シール本体７は、圧縮弾性変形による体積移動により、耐腐食用リング６を（矢印Ｓにて示すように加圧して）内側から押し広げ、第１辺部３１が第１側壁面１側に張り出すように（弾性）変形させる。
【００３０】
即ち、耐腐食用リング６は、頂部３０が相手部材２０に密接（密着）し、かつ、弾性シール本体７の圧縮弾性変形に伴う加圧によって開脚方向に（弾性）変形し、第１辺部３１が第１側壁面１に密接（密着）して、弾性シール本体７と腐食性流体収納室Ｚとを遮断する。
圧縮使用状態下では、耐腐食用リング６は、弾性シール本体７に加圧され続けることで、頂部３０が相手部材２０に密接（密着）し、かつ、第１辺部３１が第１側壁面１に密接（密着）した状態を保持し、弾性シール本体７と腐食性流体収納室Ｚとを遮断する。
【００３１】
そして、シール取付部材２３と相手部材２０を相対的に離間させると、弾性シール本体７の山形突部１１と耐腐食用リング６の頂部３０に付加されていた（相手部材２０からの）圧縮荷重が開放され、その圧縮荷重により生じていた弾性シール本体７の圧縮弾性変形もなくなって、元の形状に（弾発的に）復元する。この際、耐腐食用リング６は、弾性シール本体７からの圧力が除去され、（第１辺部３１が外側方に張り出した状態から）元の形状に復元し、第１辺部３１が第１側壁面１から離れる。耐腐食用リング６は、相手部材２０からの圧縮荷重が直接にかからないため、開放後は歪みが残らず、図２に示す装着未圧縮状態に戻る。従って、本発明のシール材は、複数回にわたって繰返し圧縮・開放を繰り返す動作部に於て、シール性を低下させることがなく、真空保持性（密封性）と耐腐食性を長期間にわたって維持する。
【００３２】
なお、本発明は、設計変更可能であって、例えば、図４に示すように、耐腐食用リング６は、第２辺部３２の脱落防止用返し部８が、（断面）矢印形状として、三角鈎部を２個両側に有しても良く、あるいは、図５に示すように、断面円形膨出状としても良い。
また、装着溝５は、図１〜図３に示す形状に限定されるものではなく、例えば、図６に示すように、第１側壁面１と第２側壁面２が開口部４の近傍位置で急に接近するように形成された蟻溝状であっても良く、あるいは、図７に示すように、第１側壁面１のみが開口部４に近づくにつれて接近する片側蟻溝状とするも良い。
なお、図示省略するが、腐食性流体収納室Ｚが外周側に配設されている場合には、腐食性流体に耐性のある耐腐食用リング６を、外周側に配設し、弾性シール本体７を内周側に配設する。この場合、圧縮使用状態下で、耐腐食用リング６が密着する第１側壁面１は外周側とし、かつ、弾性シール本体７が密着する第２側壁面２は内周側とする。
【００３３】
以上のように、本発明に係るシール材は、開口部４と、第１側壁面１と、第２側壁面２と、底壁面３とを、有する環状の装着溝５内に装着される環状のシール材であって、腐食性流体収納室Ｚ側の第１側壁面１に接近又は接触するように配設される耐腐食用リング６と、第２側壁面２と底壁面３に接近又は接触するように配設される弾性シール本体７と、から成り、耐腐食用リング６は、開口部４に相対的に接近・離間する相手部材２０に向かって頂部３０が突出状に折れ曲ると共に第１辺部３１と第２辺部３２を有する横断面Ｖ字状であって、弾性シール本体７は、装着未圧縮状態の横断面に於て、相手部材２０に向かって突出状の山形突部１１と、第２側壁面２側に膨出する側方突部９と、底壁面３に対応した平坦底面部３３と、第２辺部３２が差込まれる差込溝部３４と、を有し、圧縮使用状態に於て、山形突部１１及び頂部３０が相手部材２０に密接し、かつ、第１辺部３１は第１側壁面１に密接するように構成したので、耐腐食用リング６は、その第２辺部３２が（差込溝部３４内に差込まれて挾圧保持され）常に安定姿勢を保ちつつ、頂部３０は相手部材２０に圧接し、第１辺部３１は第１側壁面１に確実に密接し、もって、耐腐食用リング６は、腐食性流体２１が弾性シール本体７側へ流れるのを確実に阻止でき、かつ、弾性シール本体７は、大気側２２等が腐食性流体収納室Ｚ側に入り込むのを確実に阻止できる。従って、弾性シール本体７は腐食性流体２１によって劣化しないので、密封性を長期的に維持でき、かつ、（半導体製造装置等に於て、）その劣化による弾性シール本体７の発塵が起こらないので、製品に不純物が付着するのを防止できる。相手部材２０からの圧縮荷重が弾性シール本体７の弾性変形によって吸収され、耐腐食用リング６に直接かからないため、圧縮荷重を開放した際、耐腐食用リング６の歪みが無く、複数回にわたって圧縮・開放動作を繰り返して使用できる。従って、部品交換・メンテナンスのコストを削減できる。装着溝５が１つで済み、装置の小型化に貢献できる。圧縮荷重開放時の脱落を防止でき、接着剤を使用していないため、接着剤の混入やガスの発生等の問題を解決できる。
【００３４】
また、耐腐食用リング６は、第２辺部３２に脱落防止用返し部８を突設しているので、弾性シール本体７から脱落せず、安定姿勢を常に保ち、耐腐食性を維持できる。
【００３５】
また、装着未圧縮状態で、平坦底面部３３から耐腐食用リング６の頂部３０までの上下長さ寸法ｈは、弾性シール本体７の高さ寸法Ｈの０．７倍〜１．０倍に設定されているので、真空保持性（密封性）と耐腐食性を発揮でき、複数回にわたって使用してもシール性を確保できる。
【００３６】
また、装着未圧縮状態に於て、側方突部９の外端から第１辺部３１の外端に至る左右長さ寸法Ｌは、開口部４の開口幅寸法Ｗ０の１．１倍〜１．５倍に設定されているので、装着溝５への装着が容易であり、かつ、脱落を防止できる。
【００３７】
また、装着未圧縮状態に於て、底壁面３と平坦底面部３３が左右方向に当接する接触幅寸法Ｗ１は、底壁面３の溝底幅寸法Ｗ２の０．３倍〜０．７倍に設定されているので、圧縮荷重開放時に、相手部材２０への吸着（固着）による脱落を防止できる。
【００３８】
また、装着未圧縮状態で、耐腐食用リング６の肉厚寸法Ｔは、０．２ｍｍ〜２．０ｍｍに設定されているので、弾性シール本体７の圧縮弾性変形に伴う加圧により適度に変形し、耐腐食性を発揮できる。
【００３９】
また、装着未圧縮状態に於て、耐腐食用リング６と底壁面３との間に、隙間Ｇが形成されているので、耐腐食用リング６の可動域を確保できる。
【符号の説明】
【００４０】
１  第１側壁面
２  第２側壁面
３  底壁面
４  開口部
５  装着溝
６  耐腐食用リング
７  弾性シール本体
８  脱落防止用返し部
９  側方突部
１１  山形突部
２０  相手部材
３０  頂部
３１  第１辺部
３２  第２辺部
３３  平坦底面部
３４  差込溝部
Ｚ  腐食性流体収納室
ｈ  上下長さ寸法
Ｈ  高さ寸法
Ｌ  左右長さ寸法
Ｗ０  開口幅寸法
Ｗ１  接触幅寸法
Ｗ２  溝底幅寸法
Ｔ  肉厚寸法
Ｇ  隙間
【図１】
2014214778.tif 000003
【図２】
2014214778.tif 000004
【図３】
2014214778.tif 000005
【図４】
2014214778.tif 000006
【図５】
2014214778.tif 000007
【図６】
2014214778.tif 000008
【図７】
2014214778.tif 000009
【図８】
2014214778.tif 000010
【図９】
2014214778.tif 000011
【図１０】
2014214778.tif 000012
【図１１】
2014214778.tif 000013